(57)【要約】      （修正有）【課題】被介護者のための、電動操作で開閉できる安価な電動片開き扉を提供する。【解決手段】便所の角柱と角柱に近い間柱2本との同じ高さにした3本の切断面に基盤を載せ、基盤上に固定するベアリングユニットに差し入れる支点パイプを片開き扉の上端部の旋回支点に固定し、床上の受け部品穴に差し入れる槍支点パイプ部品を扉の下端部旋回支点に固着、さらに扉の支点パイプの上端にアーム平角棒と扉を対称位置に固着、アーム平角棒の先端に左右双方に紐を振り向け、間柱Mに向けた紐に重しMKを、間柱Nに向けた紐に重しNKを吊り下げ、重しNKを重しMKよりWｋｇ重くする事で重量差Wｋｇは常に扉を閉める働きをし、基盤上の電磁ブレーキ付き小型ギアモータに付けた巻取りドラムで重しNKを吊り上げ扉を開き、電磁ブレーキ解除スイッチを押す事で重量差Wｋｇの重さが扉を閉める電動方開き扉。【選択図】図１
2017193843.tif 000002
【特許請求の範囲】
【請求項１】
便所入口の角柱と直角位置で近い間柱2本それぞれの側面に間柱MとNとを固定し、それら角柱と間柱MとNとを天井裏内で水平に切断し、それら3本の切断面に基盤を載せて固定し、便所入口の方開き扉の縦辺を挟み留めるU字状チャンネル材の上下両端それぞれに平角棒を水平に固着し、そのU字状チャンネル材内の下端部には槍支点パイプを固着し、その槍支点パイプの下端を下から保持する受け部品を角柱に固定する短尺アングルに固着し、そのU字状チャンネル材内の上端部に固着する旋回支点パイプの内径内に差し入れて重なる支点パイプを固定し、その支点パイプは天井穴を突き上がり基盤上のベアリングユニットの内径内に差し上がり、上げた支点パイプの上端にアーム平角棒の旋回支点端部を固着する事で片開き扉とアーム平角棒とは対称位置になり、そのアーム平角棒の先端部に縛る紐を左右双方に振り向けし、間柱Mに向けた紐は外輪溝付きリングSMとTMとにからませて壁内の重しMKを吊り下げ、間柱Nに向けた紐は外輪溝付きリングSNとTNとにからませて壁内の重しNKを吊り下げ、さらに重しMKより重しNKの重さをWｋｇ重くする事で重量差Wｋｇは片開き扉を閉める力になり、さらに間柱Nに隣接する基盤上の電磁ブレーキ付き小型ギアモータの出力軸に固定する巻取りドラムに巻く新紐HHで重しNKを吊り上げる事で重しMKの重さが片開き扉を開き、開いた状態で被介護者は身体移動機で便器に移動し、そこで便所内の電磁ブレーキ解除スイッチを押す事で重しNKの重さが再生し重量差Wｋｇの力が片開き扉を閉めるようにした電動片開き扉。
【発明の詳細な説明】
【技術分野】
【０００１】
被介護者が在宅する家の便所の電動方開き扉。
【背景技術】
【０００２】
廊下に位置する被介護者が便所内の便器に体を移動させる直前に便所の扉を開けた状態で停止させ、その状態で体を身体移動機で便器まで移動し、その後で扉を自動で閉める事ができる安価な電動扉の開発が要望された。
【先行技術文献】
【特許文献】
【０００３】
【特許文献１】特願2012−130871
【発明の概要】
【発明が解決しようとする課題】
【０００４】
廊下に位置する被介護者が身体移動機を利用して体を便器に移動する為に便所の扉は開けた状態を保つ必要があり、さらにその電動扉を家族が開ける場合は手の力で開け閉めできる必要もあり、そのような電動扉が要望された。
【課題を解決するための手段】
【０００５】
上記目的を達成するために、本発明に係る電動方開き扉を説明する、方開き扉の縦辺を挟み留めるU字状チヤンネル材の上下両端それぞれに平角棒を水平に固着し、そのU字状チャンネル材内の下端部に槍支点パイプを固着し、その槍支点パイプの下端を保持する受け部品を便所の角柱の下端部に固定する短尺アングルに固着した
【０００６】
便所入口の角柱と直角位置で近い位置の間柱それぞれの側面に間柱MとNとを固定し、それら角柱と間柱MとNそれぞれを天井裏内の位置で水平に切断し、それら3本の切断面に基盤を載せて固定した。
【０００７】
U字状チャンネル材内の上端部に固着する旋回支点パイプの内径内に差し入れて固定する支点パイプは天井穴を差し上がり基盤上のベアリングユニットの内径内に差し入れて上げ、上げた支点パイプの上端にアーム平角棒の旋回支点端部を固着し、その支点パイプを支点に方開き扉とアーム平角棒とは対称になる。
【０００８】
アーム平角棒の先端部に縛る紐を左右双方に振り向け、間柱Mに向けた紐は基盤上に固定する外輪溝付きリングSMとTMとにからめて基盤穴MA内に下がり壁Z内の重しMKを吊り下げ、間柱Nに向けた紐は基盤上に固定する外輪溝付きリングSNとTNとにからめて基板穴NA内に下げて壁Z内の重しNKを吊り下げ、それら二つの重しMKとNKとがアーム平角棒の先端部を綱引きのように引き合い、さらに重しMKより重しNKをWｋｇ重くした。
【０００９】
重量差Wｋｇの力がアーム平角棒の先端を間柱Nの方向に引き寄せる事で片開き扉は閉じた状態になり、そこで間柱Nに隣接し基板上に固定する電磁ブレーキ付き小型ギアモータの出力軸に固定する巻取りドラムに巻いた新紐HHで重しNKを巻き上げる事で重しNKの重さは消失し重しMKの重さの力がアーム平角棒の先端を間柱Mの方向へ引き寄せ間柱Mに隣接するタッチスイッチにアーム平角棒の先端部が当り電磁ブレーキ付き小型ギアモータは停止しアーム平角棒と対称位置の方開き扉は開いた状態で停止する、そこで被介護者は身体移動機で便器に移動して着座し、さらに便所内の電磁ブレーキ解除スイッチを押す事で重しNKの重さは再生し重量差Wｋｇの力が方開き扉を閉める働きをするようになる電動方開き扉。
【発明の効果】
【００１０】
家族の不在時でも被介護者が廊下のスイッチで便所の電動方開き扉を開いた状態で停止させ、身体移動機を利用して体を便器に移動させて便器に着座し、便所内の電磁ブレーキ解除スイッチで電動方開き扉を閉める事が可能になる。
【図面の簡単な説明】
【００１１】
【図１】便所の角柱と間柱と重しとの配置斜視図。
【図２】電動方開き扉を閉めた状態の平面図。
【図３】電動方開き扉が半開き状態の平面図。
【図４】電動方開き扉が全開状態の平面図。
【図５】電動方開き扉の上辺で旋回支点パイプ回りの断面図。
【図６】電動方開き扉の下辺で槍支点パイプ回りの断面図。
【図７】電動方開き扉の骨組図と骨組みに薄板ベニアとクロスとを貼り付けた図。
【図８】ヒンジ部品の斜視図。
【発明を実施するための形態】
【００１２】
本発明の一実施形態に係る電動方開き扉を説明する、便所入口の角柱KDと直角位置で近い位置の間柱2本それぞれの側面に間柱MとNとを固定し、それら角柱KDと間柱MとNとのそれぞれを天井TE裏内の位置で水平に切断し、それら3本の上端面に基盤Kを載せて固定した。
【００１３】
方開き扉の骨組みDHの縦辺をU字状チャンネル材Uで挟み留め、その方開き扉の下端面に固定する平角棒BにU字状チャンネル材Uの下端を固着し、そのU字状チャンネル材U内の下端部に槍支点パイプYを固着し、その槍支点パイプYの下端を受け支える受け部品Qは角柱KDの下端部に木ねじで固定する短尺アングルQAに固着した。
【００１４】
片開き扉の上端面に固定する平角棒AをU字状チャンネル材Uの上端に固着し、そのU字状チャンネル材内に旋回支点パイプSの下端部を固着し、その旋回支点パイプSの内径内に支点パイプCの一部を差し入れて重なる部分の双方のパイプをボルトで固定し、その支点パイプCを天井板TE穴に突き上げて基盤K上に固定するベアリングユニットBYの内径内に差し入れて上に出し、出した支点パイプCの上端部をアーム平角棒Rの旋回支点穴に固着した。
【００１５】
アーム平角棒Rの先端部に縛る紐を左右双方に振り向け、間柱Mに向けた紐HMは基盤K上に固定する外輪溝付きリングSMとTMとにからめて基盤Kの穴MA内に下げて壁Z内の重しMKを吊り下げし、間柱Nに向けた紐HNは基盤K上に固定する外輪溝付きリングSNとTNとにからめて基盤Kの穴NA内に下げて壁Z内の重しNKを吊り下げし、それらの重しMKとNKとはアーム平角棒Rの先端部を間柱M方向と間柱N方向とに綱引きのように引き合いし、さらに重しMKより重しNKをWｋｇ重くした。
【００１６】
重量差のWｋｇの力でアーム平角棒Rの先端部はいつも間柱Nの方向に引き寄せられ、その状態は中心パイプCを支点にアーム平角棒Rと対称位置の方開き扉が閉じた状態になり、そこで間柱Nに隣接し基盤K上に固定する電磁ブレーキ付き小型ギアモータJの出力軸に固定する巻取りドラムJGに巻いた新紐HHで重しNKを巻き上げる事で重しNKの重さは消失し、その為重しMKの重さがアーム平角棒Rの先端部を間柱Mの方向へ引き寄せるため間柱Mに隣接するタッチスイッチTにアーム平角棒Rの先端部が当り電磁ブレーキ付き小型ギアモータJは停止しアーム平角棒Rと対称の方開き扉は開いた状態で停止する、そこで被介護者は身体移動機で便器Vに移動して着座し、そこで便所内の電磁ブレーキ解除スイッチEを押す事で重しNKの重さは再生し重量差Wｋｇの力が方開き扉を閉める方向に働くようにした電動方開き扉。
【符号の説明】
【００１７】
KD    角柱
SA    桟木
M      角柱と同じ高さの間柱
N      角柱と同じ高さの間柱
MK    扉を開ける力に働く重し
MH    扉を開ける側に付けた紐
NK    扉を閉める方向に働く重し
NH    扉を閉める側に付けた紐
R      アーム平角棒
C      支点パイプ
S      旋回支点パイプ
BY    ベアリングユニット
TE    天井板
CF    天井化粧パイプ
U      U字状チャンネル材
DH    扉の骨組み
UB    扉の骨組みの縦辺とU字状チャンネル材とを固定するボルト
P      扉の骨組みの両面に貼り付ける薄板
PC    扉の両面の薄板に貼り付けるクロス
A      扉の上端面に木ネジ固定する平角棒
B      扉の下端面に木ネジ固定する平角棒
Y      U字状チャンネル材の下端部に固着する槍支点パイプ
Q      槍支点パイプの下端を下から受け支える受け部品
G      グリス
QA    受け部品に固着するアングル部品
DT    取手
V      便器
YU    床
K      基盤
T      タッチスイッチ
SM    水平に回る外輪溝付きリング
TM    縦に回る外輪溝付きリング
AM    基盤に開ける穴
SN    水平に回る外輪溝付きリング
TN    縦に回る外輪溝付きリング
AN    基盤に開ける穴
Z      壁
J      電磁ブレーキ付き小型ギアモータ
JG    電磁ブレーキ付き小型ギアモータの出力軸に固定する巻取りドラム
JB    アングル型ベアリングユニット
F      スポンジ
FP    スポンジに貼り付けたプラスチック
FF    アルミ不等辺角管
E      電磁ブレーキ解除スイッチ
ET    電動方開き扉の開閉スイッチ
【図１】
2017193843.tif 000003
【図２】
2017193843.tif 000004
【図３】
2017193843.tif 000005
【図４】
2017193843.tif 000006
【図５】
2017193843.tif 000007
【図６】
2017193843.tif 000008
【図７】
2017193843.tif 000009
【図８】
2017193843.tif 000010
【手続補正書】
【提出日】平成28年11月4日(2016.11.4)
【手続補正１】
【補正対象書類名】明細書
【補正対象項目名】全文
【補正方法】変更
【補正の内容】
【発明の詳細な説明】
【技術分野】
【０００１】
被介護者が在宅する家の便所の電動片開き扉。
【背景技術】
【０００２】
廊下に位置する被介護者が便所内の便器に体を移動させる直前に便所の扉を開けた状態で停止させ、その状態で体を身体移動機で便器まで移動し、その後で扉を自動で閉める事ができる安価な電動扉の開発が要望された。
【先行技術文献】
【特許文献】
【０００３】
【特許文献１】特願2012−130871
【発明の概要】
【発明が解決しようとする課題】
【０００４】
廊下に位置する被介護者が身体移動機を利用して体を便器に移動する為に便所の扉は開けた状態を保つ必要があり、さらにその電動扉を家族が開ける場合は手の力で開け閉めできる必要もあり、そのような電動扉が要望された。
【課題を解決するための手段】
【０００５】
上記目的を達成するために、本発明に係る電動片開き扉を説明する、片開き扉の旋回縦辺を挟み留めるU字状チヤンネル材の上下両端面それぞれに平角棒を水平に固着し、そのU字状チャンネル材内の下端部に槍支点パイプを固着し、その槍支点パイプの下端を保持する受け部品に短尺アングルを固着し、その短尺アングルを便所の角柱の下端部に固定した。
【０００６】
便所入口の角柱と直角位置で近い位置の間柱それぞれの側面に間柱MとNとを固定し、それら角柱と間柱MとNそれぞれの上端部を天井裏内で水平に切断し、それら3本の切断面に基盤を載せて固定した。
【０００７】
U字状チャンネル材内の上端部に固着する旋回支点パイプの内径内に差し入れて固定する支点パイプは天井穴を差し上がり基盤上のベアリングユニットの内径内に差し入れて上げ、上げた支点パイプの上端をアーム平角棒の旋回支点穴内に入れて固着し、その支点パイプを支点にし片開き扉とアーム平角棒とは対称になる。
【０００８】
アーム平角棒の先端部に縛る紐を間柱MとNとの左右双方に振り分けし、間柱Mに向けた紐は基盤上に固定する外輪溝付きリングSMとTMとにからめて基盤穴MA内に下がり壁Z内の重しMKを吊り下げ、間柱Nに向けた紐は基盤上に固定する外輪溝付きリングSNとTNとにからめて基板穴NA内に下げて壁Z内の重しNKを吊り下げ、それら二つの重しMKとNKとがアーム平角棒の先端部を綱引きのように引き合い、さらに重しMKより重しNKをWｋｇ重くした。
【０００９】
重量差Wｋｇの力がアーム平角棒の先端を間柱Nの方向に引き寄せる事で片開き扉は閉じた状態になり、そこで間柱Nに隣接し基板上に固定する電磁ブレーキ付き小型ギアモータの出力軸に固定する巻取りドラムに巻いた巻上げ紐HHで重しNKを巻き上げる事で重しMKの重さの力がアーム平角棒の先端部を間柱Mの方向へ引き寄せられ間柱Mに隣接するタッチスイッチに当たって電磁ブレーキ付き小型ギアモータは停止し、その停止で発生する電磁ブレーキ力でアーム平角棒と対称位置の片開き扉は開いた状態で停止し、そこで被介護者は身体移動機で便器に移動して着座し、さらに便所内の電磁ブレーキ解除スイッチを押す事で電磁ブレーキ力は解除し重しNKの落下による重量差Wｋｇで扉を閉めるようにした電動片開き扉。
【発明の効果】
【００１０】
家族の不在時でも被介護者が廊下のスイッチ操作で便所の電動片開き扉を開いた状態で停止し、さらに身体移動機を利用して体を便器に移動させて便器に着座し、便所内の電磁ブレーキ解除スイッチ操作で電動方開き扉を閉まるようにし、さらに電動で作動中の扉を手で開閉する力を加えても、その力が電動モーターに伝達しないようにした。
【図面の簡単な説明】
【００１１】
【図１】便所の角柱と間柱と重しとの配置斜視図。
【図２】電動方開き扉を閉めた状態の平面図。
【図３】電動方開き扉が半開き状態の平面図。
【図４】電動方開き扉が全開状態の平面図。
【図５】電動方開き扉の上辺で旋回支点パイプ回りの断面図。
【図６】電動方開き扉の下辺で槍支点パイプ回りの断面図。
【図７】電動方開き扉の骨組図と骨組みに薄板ベニアとクロスとを貼り付けた図。
【図８】ヒンジ部品の斜視図。
【発明を実施するための形態】
【００１２】
本発明の一実施形態に係る電動片開き扉を説明する、便所入口の角柱KDと近い直角配置の間柱2本それぞれの側面に間柱MとNとを固定し、それら角柱KDと間柱MとNとのそれぞれを天井TE裏内での上端部を水平に切断し、それら3本の上端面に基盤Kを載せて固定した。
【００１３】
片開き扉の旋回縦辺をU字状チャンネル材Uで挟み留め、その片開き扉の下端面に固定する平角棒BにU字状チャンネル材Uの下端を固着し、そのU字状チャンネル材U内の下端部に槍支点パイプYを固着し、その槍支点パイプYの下端を受け支える受け部品Qは短尺アングルQAに固着し、その短尺アングルQAを角柱KDの下端部に木ねじで固定した。
【００１４】
片開き扉の上端面に固定する平角棒AをU字状チャンネル材Uの上端に固着し、そのU字状チャンネル材内の上端部に旋回支点パイプSの下端部を固着し、その旋回支点パイプSの内径内に支点パイプCの下端部を差し入れて重なるパイプ部分をボルトで固定し、その支点パイプCを天井板TE穴に突き上げしさらに基盤K上に固定するベアリングユニットBYの内径内に差し入れて上に出し、出した支点パイプCの上端部をアーム平角棒Rの旋回支点穴内に固着した。
【００１５】
アーム平角棒Rの先端部に縛る紐HMを左右双方に振り分けし、間柱Mに向けた紐HMは基盤K上に固定する外輪溝付きリングSMとTMとにからめて基盤Kの穴MA内に下げて壁Z内の重しMKを吊り下げし、間柱Nに向けた紐HNは基盤K上に固定する外輪溝付きリングSNとTNとにからめて基盤Kの穴NA内に下げて壁Z内の重しNKを吊り下げし、それらの重しMKとNKとはアーム平角棒Rの先端部を間柱Mの方向と間柱Nの方向とに綱引きのように引き合いし、さらに重しMKより重しNKをWｋｇ重くした。
【００１６】
重量差Wｋｇの力はアーム平角棒Rの先端部をいつも間柱Nの方向に引き寄せし、その引き寄せは中心パイプCを支点にアーム平角棒Rと対称位置の片開き扉を閉じた状態にし、そこで間柱Nに隣接し基盤K上に固定する電磁ブレーキ付き小型ギアモータJの出力軸に固定する巻取りドラムJGに巻いた巻上げ紐HHで重しNKを巻き上げる事で重しMKの重さはアーム平角棒Rの先端部を間柱Mの方向へ引き寄せし、寄せたアーム平角棒Rの先端部が間柱Mに隣接するタッチスイッチTに当たる事で電磁ブレーキ付き小型ギアモータJは停止し、停止する事で発生する電磁ブレーキ力が重しNKを巻き上げた状態で停止させ、それはアーム平角棒Rと対称の片開き扉を開いた状態で停止させ、そこで被介護者は身体移動機で便器Vに移動して着座し、そこで便所内の電磁ブレーキ解除スイッチEを押すと電磁ブレーキ力は解除され重しNKの落下による重量差Wｋｇが扉を閉める方向に働くようにした電動片開き扉。
【符号の説明】
【００１７】
KD    角柱
SA    桟木
M      角柱と同じ高さの間柱
N      角柱と同じ高さの間柱
MK    扉を開ける力に働く重し
MH    扉を開ける側に付けた紐
NK    扉を閉める方向に働く重し
NH    扉を閉める側に付けた紐
HH    巻き上げ紐
R      アーム平角棒
C      支点パイプ
S      旋回支点パイプ
BY    ベアリングユニット
TE    天井板
CF    天井化粧パイプ
U      U字状チャンネル材
DH    扉の骨組み
UB    扉の骨組みの縦辺とU字状チャンネル材とを固定するボルト
P      扉の骨組みの両面に貼り付ける薄板
PC    扉の両面の薄板に貼り付けるクロス
A      扉の上端面に木ネジ固定する平角棒
B      扉の下端面に木ネジ固定する平角棒
Y      U字状チャンネル材の下端部に固着する槍支点パイプ
Q      槍支点パイプの下端を下から受け支える受け部品
G      グリス
QA    受け部品に固着するアングル部品
DT    取手
V      便器
YU    床
K      基盤
T      タッチスイッチ
SM    水平に回る外輪溝付きリング
TM    縦に回る外輪溝付きリング
AM    基盤に開ける穴
SN    水平に回る外輪溝付きリング
TN    縦に回る外輪溝付きリング
AN    基盤に開ける穴
Z      壁
J      電磁ブレーキ付き小型ギアモータ
JG    電磁ブレーキ付き小型ギアモータの出力軸に固定する巻取りドラム
JB    アングル型ベアリングユニット
F      スポンジ
FP    スポンジに貼り付けたプラスチック
FF    アルミ不等辺角管
E      電磁ブレーキ解除スイッチ
ET    電動方開き扉の開閉スイッチ
【手続補正２】
【補正対象書類名】特許請求の範囲
【補正対象項目名】全文
【補正方法】変更
【補正の内容】
【特許請求の範囲】
【請求項１】
便所入口の角柱と直角位置で近い間柱2本それぞれの側面に間柱MとNとを固定し、それら角柱と間柱MとNとの天井裏内での上端部を水平に切断し、それら3本の切断面に基盤を載せて固定し、便所入口の片開き扉の縦辺を挟み留めるU字状チャンネル材の上下両端面それぞれに平角棒を水平に固着し、そのU字状チャンネル材内の下端部には槍支点パイプを固着し、その槍支点パイプの下端を下から保持する受け部品に固着する短尺アングルを角柱の下端部に固定し、そのU字状チャンネル材内の上端部に固着する旋回支点パイプの内径内に差し入れて重ねる支点パイプとの重なり部分を固定し、その支点パイプは天井穴を突き上がり基盤上のベアリングユニットの内径内をも差し上げ、上げた支点パイプの上端をアーム平角棒の旋回支点穴内に固着し、そのアーム平角棒と片開き扉とは対称位置にし、そのアーム平角棒の先端部に縛る紐を左右双方に振り分けし、間柱Mに向けた紐は外輪溝付きリングSMとTMとにからませて壁内の重しMKを吊り下げ、間柱Nに向けた紐は外輪溝付きリングSNとTNとにからませて壁内の重しNKを吊り下げ、重しMKより重しNKの重さをWｋｇ重くする事で重量差Wｋｇが片開き扉を閉める力にし、さらに間柱Nに隣接する基盤上の電磁ブレーキ付き小型ギアモータの出力軸に固定する巻取りドラムに巻く巻上げ紐HHで重しNKを巻き上げる事で重しMKの重さがアーム平角棒の先端部を間柱Mに隣接するタッチスイッチに寄せて当り、当たる事で電磁ブレーキ付き小型ギアモータは停止し片開き扉は開いた状態で停止し、そこで被介護者は身体移動機で便器に着座し、そこで便所内の電磁ブレーキ解除スイッチを押して電磁ブレーキ力を解除する事で重しNKは落下し重量差Wｋｇが扉を閉めるようにした電動片開き扉。